(57)【特許請求の範囲】
【請求項１】
給電ライン及び接地導体部を備える基板に設けられるパターンアンテナにおいて、
前記基板の各表面に前記接地導体部を備え、
前記基板の第１表面に設けられ、その一端を前記給電ラインに接続される給電部とするとともに他端を開放端とし、前記給電部と前記開放端の間に屈曲部が設けられて前記給電部と前記屈曲部との間で給電導体パターンが形成され、前記給電部と前記開放端の間の一点より前記接地導体部に接続される接地導体パターンが設けられる逆Ｆ形状の第１アンテナパターンと、
前記基板の第２表面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される逆Ｌ形状の第２アンテナパターンと、
を有し、
前記第１アンテナパターンの前記給電導体パターン及び前記接地導体パターンと前記第２アンテナパターンの前記接地導体パターンの少なくとも一つの導体パターンの形状が台形状となり、
前記第１アンテナパターンの前記開放端と前記屈曲部との間の導体パターンと前記第２アンテナパターンの前記開放端と前記屈曲部との間の導体パターンとが基板材料を介して重ね合うように形成されるとともに、前記第１アンテナパターンの前記給電導体パターンと前記第２アンテナパターンの前記接地導体パターンとが基板材料を介して重ね合うように形成されることを特徴とするパターンアンテナ。
【請求項２】
給電ライン及び接地導体部を備える基板に設けられるパターンアンテナにおいて、
前記基板の各表面に前記接地導体部を備え、
前記基板の第１表面に設けられ、その一端を前記給電ラインに接続される給電部とするとともに他端を開放端とし、前記給電部と前記開放端の間に屈曲部が設けられて前記給電部と前記屈曲部との間で給電導体パターンが形成される逆Ｌ形状の第１アンテナパターンと、
前記基板の第２表面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される逆Ｌ形状の第２アンテナパターンと、
を有し、
前記第１アンテナパターンの前記給電導体パターンと前記第２アンテナパターンの前記接地導体パターンの少なくとも一つの導体パターンの形状が台形状となり、
前記第１アンテナパターンの前記開放端と前記屈曲部との間の導体パターンと前記第２アンテナパターンの前記開放端と前記屈曲部との間の導体パターンとが基板材料を介して重ね合うように形成されることを特徴とするパターンアンテナ。
【請求項３】
給電ライン及び接地導体部を備える基板に設けられるパターンアンテナにおいて、
前記基板が多層基板であるとともに、各層の表面及び界面に前記接地導体部を備え、
前記基板を構成する層の表面又は界面に設けられ、その一端を前記給電ラインに接続される給電部とするとともに他端を開放端とし、前記給電部と前記開放端の間に屈曲部が設けられて前記給電部と前記屈曲部との間で給電導体パターンが形成され、前記給電部と前記開放端の間の一点より前記接地導体部に接続される接地導体パターンが設けられる複数の逆Ｆ形状の第１アンテナパターンと、
前記基板を構成する層の表面又は界面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される複数の逆Ｌ形状の第２アンテナパターンと、
を有し、
前記第１アンテナパターンの前記給電導体パターン及び前記接地導体パターンと前記第２アンテナパターンの前記接地導体パターンの少なくとも一つの導体パターンの形状が台形状となり、
前記第１アンテナパターンの前記開放端と前記屈曲部との間の導体パターンと前記第２アンテナパターンの前記開放端と前記屈曲部との間の導体パターンとが基板材料を介して重ね合うように形成されるとともに、前記第１アンテナパターンの前記給電導体パターンと前記第２アンテナパターンの前記接地導体パターンとが基板材料を介して重ね合うように形成されることを特徴とするパターンアンテナ。
【請求項４】
給電ライン及び接地導体部を備える基板に設けられるパターンアンテナにおいて、
前記基板が多層基板であるとともに、各層の表面及び界面に前記接地導体部を備え、
前記基板を構成する層の表面又は界面に設けられ、その一端を前記給電ラインに接続される給電部とするとともに他端を開放端とし、前記給電部と前記開放端の間に屈曲部が設けられて前記給電部と前記屈曲部との間で給電導体パターンが形成される複数の逆Ｌ形状の第１アンテナパターンと、
前記基板を構成する層の表面又は界面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される複数の逆Ｌ形状の第２アンテナパターンと、
を有し、
前記第１アンテナパターンの前記給電導体パターンと前記第２アンテナパターンの前記接地導体パターンの少なくとも一つの導体パターンの形状が台形状となり、
前記第１アンテナパターンの前記開放端と前記屈曲部との間の導体パターンと前記第２アンテナパターンの前記開放端と前記屈曲部との間の導体パターンとが基板材料を介して重ね合うように形成されることを特徴とするパターンアンテナ。
【請求項５】
前記複数の第１及び第２アンテナパターンが形成される層の面が全て異なることを特徴とする請求項３又は請求項４に記載のパターンアンテナ。
【請求項６】
前記第１アンテナパターンと前記第２アンテナパターンとが基板材料を介して重ね合うように形成されることを特徴とする請求項１〜請求項５のいずれかに記載のパターンアンテナ。
【請求項７】
使用周波数帯域の中心周波数におけるアンテナの実効波長をλとしたとき、
前記第１アンテナパターンの経路長Ｌ１が、
0.236×λ≦Ｌ１＜0.25×λ
であることを特徴とする請求項１〜請求項６のいずれかに記載の積層パターンアンテナ。
【請求項８】
使用周波数帯域の中心周波数におけるアンテナの実効波長をλとしたとき、
前記第２アンテナパターンの経路長Ｌ２が、
0.25×λ≦Ｌ２＜0.273×λ
であることを特徴とする請求項１〜請求項７のいずれかに記載の積層パターンアンテナ。
【請求項９】
使用周波数帯域の中心周波数におけるアンテナの実効波長をλとしたとき、
前記給電部から前記開放端までの経路長において、前記第１アンテナパターンの外側の長さを０．２５λより長くするとともに、前記第１アンテナパターンの内側の長さを０．２５λより短くすることを特徴とする請求項１〜請求項８のいずれかに記載の積層パターンアンテナ。
【請求項１０】
前記アンテナパターンにおいて、前記開放端と前記屈曲部の間のパターンが、前記開放端側を屈曲させた鈎状のパターン、又はその一部がメアンダ状に屈曲されたパターンであることを特徴とする請求項１〜請求項９のいずれかに記載されたパターンアンテナ。
【請求項１１】
前記アンテナパターン上にチップコンデンサが配設されることを特徴とする請求項１〜請求項１０のいずれかに記載のパターンアンテナ。
【請求項１２】
前記アンテナパターンが、前記基板の端部に構成されることを特徴とする請求項１〜請求項１１のいずれかに記載のパターンアンテナ。
【請求項１３】
前記基板がガラスエポキシ基板又はテフロングラス基板であることを特徴とする請求項１〜請求項１２のいずれかに記載のパターンアンテナ。
【請求項１４】
前記基板に、他の回路パターンが構成されることを特徴とする請求項１〜請求項１３のいずれかに記載のパターンアンテナ。
【請求項１５】
前記基板に、他の基板と電気的に接続するためのランドパターンが設けられることを特徴とする請求項１〜請求項１３のいずれかに記載のパターンアンテナ。
【請求項１６】
外部への通信信号の送信又は外部からの通信信号の受信の少なくともいずれか一方を行うアンテナを有する無線通信装置において、
前記アンテナを、請求項１〜請求項１５に記載のパターンアンテナとすることを特徴とする無線通信装置。
【発明の詳細な説明】
【０００１】
【発明の属する技術分野】
本発明は、回路基板に設けられるパターンアンテナに関するもので、特に、小型、軽量であるとともに広帯域で送受信が可能なパターンアンテナ及びそれを備えた無線通信装置に関する。
【０００２】
【従来の技術】
携帯電話機や室内無線ＬＡＮ（Ｌｏｃａｌ  Ａｒｅａ  Ｎｅｔｗｏｒｋ）などの小型無線機を用いた移動体通信においては、移動体となる小型無線機用に、高性能な小型アンテナが要求される。このような小型アンテナとして、薄型の平面アンテナが、装置への内蔵が可能という点で注目されている。このような平面アンテナとして、マイクロストリップアンテナが用いられる。一般に、このようなマイクロストリップアンテナには、図２０（ａ）のような短絡型マイクロストリップアンテナや、図２０（ｂ）のような板状逆Ｆ形状アンテナが使用される。そして、近年の更なる装置の小型化に対応して、図２０（ａ）のようなマイクロストリップアンテナを更に小型化した平面アンテナが、特開平５−３４７５１１号公報や特開２０００−５９１３２号公報などで提案されている。
【０００３】
【発明が解決しようとする課題】
このように、特開平５−３４７５１１号公報や特開２０００−５９１３２号公報で提案されているアンテナは、それぞれ、従来より一般的に使用されている平面アンテナや線状アンテナに比べて小型化されている。しかしながら、いずれのアンテナも、基板上に立体的に構成されるため、その接地される基板上に、それぞれのアンテナが必要とする空間が要求される。よって、このようなアンテナを使用されたとしても、その小型化に限界がある。
【０００４】
又、図２２に、図２１のような逆Ｆ形状プリントパターンアンテナ１００を用いたときの電圧定在波比（ＶＳＷＲ）の周波数特性を示す。尚、図２１において、逆Ｆ形状プリントパターンアンテナ１００は、対向する接地用導体部１０１の外周端辺に対して平行になるように形成された長手部パターン１００ａと、長手部パターン１００ａの開放端１００ｄと逆側の一端に接続されるとともに給電用伝送路１０２と接続された給電導体パターン１００ｂと、長手部パターン１００ａにおける開放端１００ｄと給電導体パターン１００ｂの間の一点に接続されるとともに接地用導体部１０１に接続された接地導体パターン１００ｃとで構成される。このような逆Ｆ形状プリントパターンアンテナ１は、図２２のグラフが示すように、その使用周波数帯域が狭い。
【０００５】
更に、特開平６−３３４４２１号公報において、逆Ｌ形状プリントパターンアンテナなどの基板実装アンテナを用いた無線通信製品が提供されているが、逆Ｌ形状プリントパターンアンテナだけでは、前述したように、その使用周波数帯域が狭い。又、この使用周波数帯域を広くするために、マイクロストリップ型平面アンテナと併用しているものも提供されているが、この場合、アンテナに使用される面積が広くなるため、結果的に小型化を妨げることとなる。
【０００６】
このような問題を鑑みて、本発明は、基板表面又は内部にパターンとして形成されるパターンアンテナを使用して小型広帯域化されたパターンアンテナ及びそれを備えた無線通信装置を提供することを目的とする。
【０００７】
【課題を解決するための手段】
上記目的を達成するために、本発明の積層パターンアンテナは、給電ライン及び接地導体部を備える基板に設けられるパターンアンテナにおいて、前記基板の各表面に前記接地導体部を備え、前記基板の第１表面に設けられ、その一端を前記給電ラインに接続される給電部とするとともに他端を開放端とし、前記給電部と前記開放端の間に屈曲部が設けられて前記給電部と前記屈曲部との間で給電導体パターンが形成され、前記給電部と前記開放端の間の一点より前記接地導体部に接続される接地導体パターンが設けられる逆Ｆ形状の第１アンテナパターンと、前記基板の第２表面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される逆Ｌ形状の第２アンテナパターンと、を有し、前記第１アンテナパターンの前記給電導体パターン及び前記接地導体パターンと前記第２アンテナパターンの前記接地導体パターンの少なくとも一つの導体パターンの形状が台形状となり、前記第１アンテナパターンの前記開放端と前記屈曲部との間の導体パターンと前記第２アンテナパターンの前記開放端と前記屈曲部との間の導体パターンとが基板材料を介して重ね合うように形成されるとともに、前記第１アンテナパターンの前記給電導体パターンと前記第２アンテナパターンの前記接地導体パターンとが基板材料を介して重ね合うように形成されることを特徴とする。
【００１２】
又、本発明のパターンアンテナは、給電ライン及び接地導体部を備える基板に設けられるパターンアンテナにおいて、前記基板の各表面に前記接地導体部を備え、前記基板の第１表面に設けられ、その一端を前記給電ラインに接続される給電部とするとともに他端を開放端とし、前記給電部と前記開放端の間に屈曲部が設けられて前記給電部と前記屈曲部との間で給電導体パターンが形成される逆Ｌ形状の第１アンテナパターンと、前記基板の第２表面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される逆Ｌ形状の第２アンテナパターンと、を有し、前記第１アンテナパターンの前記給電導体パターンと前記第２アンテナパターンの前記接地導体パターンの少なくとも一つの導体パターンの形状が台形状となり、前記第１アンテナパターンの前記開放端と前記屈曲部との間の導体パターンと前記第２アンテナパターンの前記開放端と前記屈曲部との間の導体パターンとが基板材料を介して重ね合うように形成されることを特徴とする。
【００１３】
これらのパターンアンテナにおいて、それぞれに、使用周波数帯域の異なる第１アンテナパターン及び第２アンテナパターンを使用することで、励振素子である第１アンテナパターンの影響で、無給電素子である第２アンテナパターンが励振し、相互に作用することで、広帯域の使用周波数帯域を得ることができる。
【００１４】
又、本発明のパターンアンテナは、給電ライン及び接地導体部を備える基板に設けられるパターンアンテナにおいて、前記基板が多層基板であるとともに、各層の表面及び界面に前記接地導体部を備え、前記基板を構成する層の表面又は界面に設けられ、その一端を前記給電ラインに接続される給電部とするとともに他端を開放端とし、前記給電部と前記開放端の間に屈曲部が設けられて前記給電部と前記屈曲部との間で給電導体パターンが形成され、前記給電部と前記開放端の間の一点より前記接地導体部に接続される接地導体パターンが設けられる複数の逆Ｆ形状の第１アンテナパターンと、前記基板を構成する層の表面又は界面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される複数の逆Ｌ形状の第２アンテナパターンと、を有し、前記第１アンテナパターンの前記給電導体パターン及び前記接地導体パターンと前記第２アンテナパターンの前記接地導体パターンの少なくとも一つの導体パターンの形状が台形状となり、前記第１アンテナパターンの前記開放端と前記屈曲部との間の導体パターンと前記第２アンテナパターンの前記開放端と前記屈曲部との間の導体パターンとが基板材料を介して重ね合うように形成されるとともに、前記第１アンテナパターンの前記給電導体パターンと前記第２アンテナパターンの前記接地導体パターンとが基板材料を介して重ね合うように形成されることを特徴とする。
【００１５】
又、本発明のパターンアンテナは、給電ライン及び接地導体部を備える基板に設けられるパターンアンテナにおいて、前記基板が多層基板であるとともに、各層の表面及び界面に前記接地導体部を備え、前記基板を構成する層の表面又は界面に設けられ、その一端を前記給電ラインに接続される給電部とするとともに他端を開放端とし、前記給電部と前記開放端の間に屈曲部が設けられて前記給電部と前記屈曲部との間で給電導体パターンが形成される複数の逆Ｌ形状の第１アンテナパターンと、前記基板を構成する層の表面又は界面に設けられ、その一端を前記接地導体部に接続される接地部とするとともに他端を開放端とし、前記接地部と前記開放端の間に屈曲部が設けられて前記接地部と前記屈曲部との間で接地導体パターンが形成される複数の逆Ｌ形状の第２アンテナパターンと、を有し、前記第１アンテナパターンの前記給電導体パターンと前記第２アンテナパターンの前記接地導体パターンの少なくとも一つの導体パターンの形状が台形状となり、前記第１アンテナパターンの前記開放端と前記屈曲部との間の導体パターンと前記第２アンテナパターンの前記開放端と前記屈曲部との間の導体パターンとが基板材料を介して重ね合うように形成されることを特徴とする。
【００１６】
これらのパターンアンテナにおいて、例えば、３層基板となる基板に設けられたとき、第１層の表面及び第３層の表面に第２アンテナパターンを形成し、第１層と第２層の界面及び第２層と第３層の界面に第１アンテナパターンを構成することで、励振素子である第１アンテナパターンの影響で、無給電素子である第２アンテナパターンが励振し、相互に作用することで、広帯域の使用周波数帯域を得ることができる。又、第１アンテナパターンを少なくとも１つ形成することで、複数の第２アンテナパターンを励振させて、相互に作用することで、広帯域の使用周波数帯域を得ることができる。又、このとき、各アンテナパターンの使用周波数帯域を異なるものとしても構わない。
【００１７】
更に、本発明の無線通信装置は、外部への通信信号の送信又は外部からの通信信号の受信の少なくともいずれか一方を行うアンテナを有する無線通信装置において、前記アンテナを、上述したいずれかのパターンアンテナとすることを特徴とする。
【００１８】
【発明の実施の形態】
本発明の実施形態について、以下に説明する。
【００１９】
＜第１の実施形態＞
本発明の第１の実施形態について、図面を参照して説明する。図１は、本実施形態のパターンアンテナの表面図である。図２は、本実施形態のパターンアンテナの電圧定在波比（ＶＳＷＲ）の周波数特性を示すグラフである。
【００２０】
本実施形態のパターンアンテナは、図１に示すガラスエポキシ基板４の表面に形成された逆Ｆ形状アンテナパターン１によって構成される。又、この逆Ｆ形状アンテナパターン１は、他の回路パターンなどが形成されるガラスエポキシ基板４の端部において形成される。
【００２１】
このガラスエポキシ基板４の表面には、図１のように、２つの接地用導体部３と、この２つの接地用導体部３に挟まれるように配置された給電伝送路２とが設けられている。又、このガラスエポキシ基板４の表面に形成された逆Ｆ形状アンテナパターン１は、図１のように、対向する接地用導体部３の外周端辺に対して平行になるように形成された長手部パターン１ａと、長手部パターン１ａの開放端１ｄと逆側の一端に接続されるとともに接地導体部３と接続された接地導体パターン１ｃと、長手部パターン１ａにおける開放端１ｄと接地導体パターン１ｃの間の一点に接続されるとともに給電用伝送路２に接続された給電導体パターン１ｂとで構成される。
【００２２】
このとき、給電導体パターン１ｂは、給電用伝送路２との接続部から長手部パターン１ａに向かって徐々に幅が広くなるようなテーパー形状となるように形成される。そして、この逆Ｆ形状アンテナパターンは、使用周波数帯域の中心周波数におけるアンテナの実効波長をλとしたとき、長手部パターン１ａの開放端１ｄから接地導体パターン１ｃを経て接地導体部３に至る経路長Ｌｉが略０．２５×λとなるように設定されることが好ましい。
【００２３】
又、長手部パターン１ａと接地導体部３との間隔は、０．０２×λ以上となるように形成されることが好ましい。これは、逆Ｆ形状アンテナなどにおいて、放射板と接地導体部との間隔が狭くなるほど、その使用周波数帯域が狭くなるのと同様、逆Ｆ形状アンテナパターン１と接地導体部３との間隔が狭くなるほど、その使用周波数帯域が狭くなるためである。更に、このパターンアンテナを構成する逆Ｆ形状アンテナパターン１の線幅は、パターン形成する際の精度より、その線幅を０．５ｍｍ以上とすることが好ましい。
【００２４】
このように構成されるパターンアンテナにおいて、励振素子である逆Ｆ形状パターンアンテナ１において、給電導体パターン１ｂをテーパー形状にすることによって、長手部パターン１ａの開放端１ｄから給電導体パターン１ｂを経て給電伝送路２に至る経路長において、矢印Ａのような内側の経路長と、矢印Ｂような外側の経路長とで、その長さが異なる。
【００２５】
よって、例えば、矢印Ａのような内側の経路長を０．２５λより短くするとともに、矢印Ｂのような外側の経路長を０．２５λより長くすることで、内側の経路長によって形成される使用周波数帯域と外側の経路長によって形成される使用周波数帯域とが相互に影響しあい、図１の構成のパターンアンテナの電圧定在波比の周波数特性が図２のようになり、従来のものと比べて、ＶＳＷＲ＜２となる周波数帯域が広くなる。よって、広い周波数帯域において、良好なインピーダンス整合をとることができ、広い周波数帯域の通信信号を送受信することができる。
【００２６】
尚、本実施形態において、図１のような逆Ｆ形状アンテナパターン１で構成されたアンテナについて説明したが、給電導体パターン１ｂが、図１のように両側のテーパー角度の等しい放射形状でなく、図３（ａ）のように片側のみがテーパー角度のついた放射形状であるものでも構わない。更に、図３（ｂ）のように、給電導体パターン１ｂのみでなく、接地導体パターン１ｃもテーパー形状としても構わない。
【００２７】
更に、長手部パターン１ａと接地用導体部３との間隔が十分に広く、長手部パターン１ａの開放端１ｄの逆側の一端に接続された接地導体パターン１ｃが設けられずとも給電用伝送路２を介する給電ラインとの十分なインピーダンス整合が得られる場合は、図３（ｃ）のように、長手部パターン１ａと長手部パターン１ａの開放端１ｄと逆側の一端に接続されるテーパー形状の給電導体パターン１ｂとで構成される逆Ｌ形状アンテナパターンによって、アンテナが構成されるようにしても構わない。尚、この図３（ｃ）のように逆Ｌ形状アンテナパターンとしたとき、長手部パターン１ａの開放端１ｄから給電導体パターン１ｂを経て給電伝送路２に至る経路長が、略０．２５×λとなるように設定されることが好ましい。
【００２８】
＜第２の実施形態＞
本発明の第２の実施形態について、図面を参照して説明する。図４は、本実施形態のパターンアンテナの表面図である。図５は、本実施形態のパターンアンテナの裏面図である。図６は、本実施形態のパターンアンテナの図１及び図２におけるＸ−Ｙ線での断面図である。図７は、本実施形態のパターンアンテナの電圧定在波比（ＶＳＷＲ）の周波数特性を示すグラフである。尚、第１の実施形態のパターンアンテナと同一の目的で使用する部分については、同一の符号を付してその詳細な説明は省略する。
【００２９】
本実施形態のパターンアンテナは、図４に示すガラスエポキシ基板４の表面に形成された逆Ｆ形状アンテナパターン１と、図５に示すガラスエポキシ基板４の裏面に形成された逆Ｌ形状アンテナパターン５とによって構成される。又、この逆Ｆ形状アンテナパターン１及び逆Ｌ形状アンテナパターン５は、他の回路パターンなどが形成されるガラスエポキシ基板４の端部において形成される。
【００３０】
このガラスエポキシ基板４の表面には、図４のように、２つの接地用導体部３と、この２つの接地用導体部３に挟まれるように配置された給電伝送路２とが形成され、又、接地用導体部３の外周には、他の回路パターンと接地用導体部３を電気的に接続するためのスルーホール６が設けられている。又、ガラスエポキシ基板４の裏面には、図５のように、ガラスエポキシ基板４の表面と同様、外周にスルーホール６が設けられた接地用導体部３が形成される。このとき、ガラスエポキシ基板４の表面の２つの接地用導体部３が、ガラスエポキシ基板４の裏面の接地用導体部３と基板材料を介して重なり合うように配置される。
【００３１】
このガラスエポキシ基板４の表面に形成された逆Ｆ形状アンテナパターン１は、第１の実施形態と同様、図４のように、対向する接地用導体部３の外周端辺に対して平行になるように形成された長手部パターン１ａと、長手部パターン１ａの開放端１ｄと逆側の一端に接続されるとともに給電用伝送路２と接続された給電導体パターン１ｂと、長手部パターン１ａにおける開放端１ｄと給電導体パターン１ｂの間の一点に接続されるとともに接地用導体部３に接続された接地導体パターン１ｃとで構成される。又、このように構成される逆Ｆ形状アンテナパターン１は、図３（ｂ）のように、給電導体パターン１ｂ及び接地導体パターン１ｃがともに、片側のみがテーパー角度のついた放射形状とされる。
【００３２】
又、ガラスエポキシ基板４の裏面に形成された逆Ｌ形状アンテナパターン５は、図５のように、対向する接地用導体部３の外周端辺に対して平行になるように形成された長手部パターン５ａと、長手部パターン５ａの開放端５ｃと逆側の一端に接続されるとともに接地用導体部３に接続された接地導体パターン５ｂとで構成される。このように構成される逆Ｌ形状アンテナパターン５は、接地導体パターン５ｂが、図４の逆Ｆ形状アンテナパターン１の接地導体パターン１ｃと同様、片側のみがテーパー角度のついた放射形状とされる。
【００３３】
そして、逆Ｌ形状アンテナパターン５の長手部パターン５ａが逆Ｆ形状アンテナパターン１の長手部パターン１ａの直下になるように、逆Ｌ形状アンテナパターン５がガラスエポキシ基板４を挟み、基板材料を介して逆Ｆ形状アンテナパターン１と重なるように形成される。又、図６の断面図のように、逆Ｌ形状アンテナパターン５の接地導体パターン５ｂが逆Ｆ形状アンテナパターン１の給電導体パターン１ｂの直下になるように形成される。
【００３４】
このとき、逆Ｆ形状アンテナパターン１の長手部パターン１ａの開放端１ｄから接地導体パターン１ｃを経て接地導体部３に至る経路長Ｌｉよりも、逆Ｌ形状アンテナパターン５の長手部パターン５ａの開放端５ｃから接地導体パターン５ｂを経て接地用導体部３に至る経路長Ｌｐの方が若干長くなるように形成される。詳細には、使用周波数帯域の中心周波数におけるアンテナの実効波長をλとしたとき、０．２３６×λ≦Ｌｉ＜０．２５×λ、０．２５×λ≦Ｌｐ＜０．２７３×λとなるように、経路長Ｌｉ，Ｌｐを設定する。
【００３５】
又、第１の実施形態と同様、逆Ｆ形状アンテナパターン１及び逆Ｌ形状アンテナパターン５の長手部パターン１ａ，５ａと接地導体部３との間隔は、それぞれ、０．０２×λ以上となるように形成されることが好ましい。更に、このパターンアンテナを構成する逆Ｆ形状アンテナパターン１及び逆Ｌ形状アンテナパターン５のパターン線幅は、パターン形成する際の精度より、その線幅を０．５ｍｍ以上とすることが好ましい。
【００３６】
このようにして形成される逆Ｆ形状アンテナパターン１と逆Ｌ形状アンテナパターン５が、それぞれ、給電される励振素子、及び、励振素子である逆Ｆ形状アンテナパターン１により励振される無給電素子として、働く。そして、逆Ｆ形状アンテナパターン１及び逆Ｌ形状アンテナパターン５それぞれの経路長の長さを０．２５×λを挟んだ２つの値とするため、逆Ｆ形状アンテナパターン１及び逆Ｌ形状アンテナパターン５を個々に見たとき、実効波長λとする使用周波数帯域の中心周波数の低周波数域側と高周波数域側に、それぞれの使用周波数帯域が形成される。
【００３７】
このように、実効波長λとする使用周波数帯域の中心周波数の低周波数域側と高周波数域側のそれぞれに使用周波数帯域を形成する逆Ｆ形状アンテナパターン１と逆Ｌ形状アンテナパターン５が、相互に影響しあうことによって、上記のように構成されたパターンアンテナの電圧定在波比の周波数特性が、図７のようになり、第１の実施形態（図２）と比べて、ＶＳＷＲ＜２となる周波数帯域が広くなる。よって、広い周波数帯域において、良好なインピーダンス整合をとることができ、広い周波数帯域の通信信号を送受信することができる。
【００３８】
尚、本実施形態において、逆Ｆ形状アンテナパターン及び逆Ｌ形状アンテナパターンの接地導体パターン及び給電導体パターンの形状を、片側のみがテーパー角度のついた放射形状としたが、両側とも同じテーパー角の放射形状としても構わない。又、逆Ｆ形状アンテナパターンにおいて、第１の実施形態（図１）と同様、給電導体パターンのみをテーパー形状とするようにしても構わない。
【００３９】
＜第３の実施形態＞
本発明の第３の実施形態について、図面を参照して説明する。図８は、本実施形態のパターンアンテナの表面図である。図９は、本実施形態のパターンアンテナの裏面図である。図１０は、本実施形態のパターンアンテナの図１及び図２におけるＸ−Ｙ線での断面図である。図１１は、本実施形態のパターンアンテナの電圧定在波比（ＶＳＷＲ）の周波数特性を示すグラフである。尚、第２の実施形態のパターンアンテナと同一の目的で使用する部分については、同一の符号を付してその詳細な説明は省略する。
【００４０】
本実施形態のパターンアンテナは、図８に示すガラスエポキシ基板４の表面に形成された逆Ｌ形状アンテナパターン７と、図９に示すガラスエポキシ基板４の裏面に形成された逆Ｌ形状アンテナパターン８とによって構成される。又、この逆Ｌ形状アンテナパターン７及び逆Ｌ形状アンテナパターン８は、他の回路パターンなどが形成されるガラスエポキシ基板４の端部において形成される。このガラスエポキシ基板４の表面には、第２の実施形態（図４）と同様、給電用伝送路２と、外周にスルーホール６が設けられた接地用導体部３とが形成されている。又、ガラスエポキシ基板４の裏面には、第２の実施形態（図５）と同様、外周にスルーホール６が設けられた接地用導体部３が形成される。
【００４１】
このガラスエポキシ基板４の表面に形成された逆Ｌ形状アンテナパターン７は、図８のように、対向する接地用導体部３の外周端辺に対して平行になるように形成された長手部パターン７ａと、長手部パターン７ａの開放端７ｃと逆側の一端に接続されるとともに給電用伝送路２と接続された給電導体パターン７ｂとで構成される。又、図９に示すように、ガラスエポキシ基板４の裏面に形成された逆Ｌ形状アンテナパターン８は、第２の実施形態と同様、対向する接地用導体部３の外周端辺に対して平行になるように形成された長手部パターン８ａと、長手部パターン８ａの開放端８ｃと逆側の一端に接続されるとともに接地用導体部３に接続された接地導体パターン８ｂとで構成される。更に、給電導体パターン７ｂ及び接地導体パターン８ｂは、それぞれ、図４の逆Ｆ形状アンテナパターン１の給電導体パターン１ｂなどと同様、片側のみがテーパー角度のついた放射形状とされる。
【００４２】
そして、逆Ｌ形状アンテナパターン８の開放端８ｃが逆Ｌ形状アンテナパターン７の開放端７ｃの直下になるように、逆Ｌ形状アンテナパターン８がガラスエポキシ基板４を挟み、基板材料を介して逆Ｌ形状アンテナパターン７と重なるように形成される。又、図１０の断面図のように、逆Ｌ形状アンテナパターン８の接地導体パターン８ｂが逆Ｌ形状アンテナパターン７の給電導体パターン７ｂと重なり合わないように形成される。
【００４３】
このとき、第２の実施形態と同様、逆Ｌ形状アンテナパターン７の長手部パターン７ａの開放端７ｃから給電導体パターン７ｂを経て給電用伝送路２に至る経路長Ｌｉよりも、逆Ｌ形状アンテナパターン８の長手部パターン８ａの開放端８ｃから接地導体パターン８ｂを経て接地用導体部３に至る経路長Ｌｐの方が若干長くなるように形成される。詳細には、使用周波数帯域の中心周波数におけるアンテナの実効波長をλとしたとき、０．２３６×λ≦Ｌｉ＜０．２５×λ、０．２５×λ≦Ｌｐ＜０．２７３×λとなるように、経路長Ｌｉ，Ｌｐを設定する。
【００４４】
又、第２の実施形態と同様、逆Ｌ形状アンテナパターン７及び逆Ｌ形状アンテナパターン８の長手部パターン７ａ，８ａと接地導体部３との間隔は、それぞれ、０．０２×λ以上となるように形成されることが好ましい。更に、このパターンアンテナを構成する逆Ｌ形状アンテナパターン７及び逆Ｌ形状アンテナパターン８のパターン線幅は、パターン形成する際の精度より、その線幅を０．５ｍｍ以上とすることが好ましい。
【００４５】
このように構成されたパターンアンテナは、逆Ｌ形状アンテナパターン７が励振素子として、又、逆Ｌ形状アンテナパターン８が無給電素子として、それぞれ、動作する。よって、このパターンアンテナの電圧定在波比の周波数特性が、図８のようになり、第２の実施形態（図７）と同様、第１の実施形態（図２）と比べて、ＶＳＷＲ＜２となる周波数帯域が広くなる。よって、広い周波数帯域において、良好なインピーダンス整合をとることができ、広い周波数帯域の通信信号を送受信することができる。
【００４６】
尚、本実施形態において、逆Ｌ形状アンテナパターンの接地導体パターン及び給電導体パターンの形状を、片側のみがテーパー角度のついた放射形状としたが、両側とも同じテーパー角の放射形状としても構わない。
【００４７】
＜第４の実施形態＞
本発明の第４の実施形態について、図面を参照して説明する。図１２は、本実施形態のパターンアンテナの断面図である。尚、第２の実施形態のパターンアンテナと同一の目的で使用する部分については、同一の符号を付してその詳細な説明は省略する。尚、図１２の断面図は、図６の断面図と同様、図４及び図５におけるＸ−Ｙ線での断面図である。
【００４８】
本実施形態のパターンアンテナは、図１２のように、３層のガラスエポキシ基板４ａ，４ｂ，４ｃ（このガラスエポキシ基板４ａ，４ｂ，４ｃは、ガラスエポキシ基板４に相当する）が重なって構成された多層ガラスエポキシ基板９に形成される。尚、以下、上から第１層ガラスエポキシ基板４ａ、第２層ガラスエポキシ基板４ｂ、第３層ガラスエポキシ基板４ｃとして説明する。又、このように構成される多層ガラスエポキシ基板９には、第２の実施形態のガラスエポキシ基板と同様、他の回路パターンが構成されている。
【００４９】
このような多層エポキシ基板９において、第２層ガラスエポキシ基板４ｂ及び第３層ガラスエポキシ基板４ｃの表面にそれぞれ、図４に示す逆Ｆ形状アンテナパターン１が構成されるとともに、第１層ガラスエポキシ基板４ａの表面及び第３層ガラスエポキシ基板４ｃの裏面にそれぞれ、逆Ｌ形状アンテナパターン５が構成される。尚、第１層ガラスエポキシ基板４ａの表面に形成される逆Ｌ形状アンテナパターン５において、図５の逆Ｌ形状アンテナパターンの形状は、第１層ガラスエポキシ基板４ａの裏面側から透視したときの形状に相当する。
【００５０】
又、この逆Ｆ形状アンテナパターン１及び逆Ｌ形状アンテナパターン５は、他の回路パターンなどが形成される多層ガラスエポキシ基板９の端部において形成される。そして、第２層ガラスエポキシ基板４ｂ及び第３層ガラスエポキシ基板４ｃの表面には、第２の実施形態（図４）と同様、給電用伝送路２と、外周にスルーホール６が設けられた接地用導体部３とが形成されている。又、第１層ガラスエポキシ基板４ａの表面及び第３層ガラスエポキシ基板４ｃの裏面には、第２の実施形態（図５）と同様、外周にスルーホール６が設けられた接地用導体部３が形成される。
【００５１】
この多層ガラスエポキシ基板９の各層における逆Ｆ形状アンテナパターン１及び逆Ｌ形状アンテナパターン５は、第１の実施形態と同様、対向する接地用導体部３の外周端辺に対して平行になるように配置された長手部パターン１ａ，５ａが基板材料を介して重なり合うように形成される。又、給電用伝送路２と接続された給電導体パターン１ｂと接地用導体部３に接続された接地導体パターン５ｂとが基板材料を介して重なり合うように形成される。
【００５２】
尚、本実施形態のパターンアンテナを構成する逆Ｆ形状アンテナパターン１及び逆Ｌ形状アンテナパターン５の特徴は、第２の実施形態と同様のものとし、その詳細な説明については第２の実施形態を参照するものとして省略する。
【００５３】
このようにして、複数の逆Ｆ形状アンテナパターン及び複数の逆Ｌ形状アンテナパターンを用いてパターンアンテナを構成したときの電圧定在波比の周波数特性において、使用周波数付近の極大値となるＶＳＷＲを、第２の実施形態（図４）に比べて小さくすることができる。よって、ＶＳＷＲ＜２となる広い周波数帯域において、より良好なインピーダンス整合をとることができ、広い周波数帯域の通信信号を送受信することができる。
【００５４】
尚、本実施形態において、複数の逆Ｆ形状アンテナパターンと複数の逆Ｌ形状アンテナパターンとによって構成されたパターンアンテナを例示して説明したが、多層ガラスエポキシ基板９に第３の実施形態における励振素子である逆Ｌ形状アンテナパターン７と無給電素子である逆Ｌ形状アンテナパターン８とをそれぞれ複数形成することによって構成するようにしても構わない。又、多層ガラスエポキシ基板における励振型のアンテナパターンと無給電型のアンテナパターンの構成は、図１２の断面図のような順番に重なるような構成に限定されるものでなく、例えば、１つの励振素子と複数の異なる経路長の無給電素子とで形成されるものでも構わない。
【００５５】
＜第５の実施形態＞
本発明の第５の実施形態について、図面を参照して説明する。図１３は、本実施形態のパターンアンテナの表面図である。図１４は、本実施形態のパターンアンテナの裏面図である。図１５は、本実施形態のパターンアンテナが搭載される基板のランドパターンを示すための基板の表面図である。図１６は、本実施形態のパターンアンテナの図１３〜図１５におけるＸ−Ｙ線での断面図である。尚、第２の実施形態のパターンアンテナと同一の目的で使用する部分については、同一の符号を付してその詳細な説明は省略する。
【００５６】
本実施形態のパターンアンテナは、第１〜第４の実施形態のパターンアンテナのように、他の回路パターンなどが構成される基板に構成されるものでなく、他の回路パターンなどが構成される回路基板とは別の基板にパターンアンテナを構成するとともに、このようにパターンアンテナが構成された基板が、他の回路パターンなどが構成される基板上に設置されて構成されるものである。
【００５７】
即ち、本実施形態のパターンアンテナは、図１３のように、その表面に線状に形成された接地用導体部３ａを有するガラスエポキシ基板４ｄの表面に形成された逆Ｌ形状アンテナパターン５と、図１４のように、その裏面に線状に形成された２つの接地用導体部３ａと後述する回路基板１０の各部と電気的に接続するための複数のランドマーク１１ａとを有するガラスエポキシ基板４ｄの裏面に形成された逆Ｆ形状アンテナパターン１とで構成される。
【００５８】
このとき、第２の実施形態（図４及び図５）と同様、ガラスエポキシ基板４ｄの表面及び裏面に形成された接地用導体部３ａは、ガラスエポキシ基板４ｄを挟み、基板材料を介して重なり合うように形成され、この接地用導体部３ａに、スルーホール６ａが設けられる。又、ガラスエポキシ基板４ｄの裏面に構成される複数のランドマーク１１ａが、ガラスエポキシ基板４ｄの４隅、接地用導体部３ａ上、及び、２つの接地用導体部３ａに挟まれた位置に、それぞれ形成される。
【００５９】
このようなガラスエポキシ基板４ｄに形成される逆Ｆ形状アンテナパターン１と逆Ｌ形状アンテナパターン５は、第１の実施形態においてガラスエポキシ基板に形成された逆Ｆ形状アンテナパターン及び逆Ｌ形状アンテナパターンと同様、長手部パターン１ａと長手部パターン５ａ、及び、給電導電パターン１ｂと接地導電パターン５ｂがそれぞれ、ガラスエポキシ基板４ｄを挟み、基板材料を介して重なり合うように形成される。又、このように形成される逆Ｆ形状アンテナパターン１において、その給電導電パターン１ｂは、接地導電部４ａに挟まれた位置に配置されたランドパターン１１ａに接続される。
【００６０】
尚、本実施形態のパターンアンテナを構成する逆Ｆ形状アンテナパターン１及び逆Ｌ形状アンテナパターン５の特徴は、第２の実施形態と同様のものとし、その詳細な説明については第２の実施形態を参照するものとして省略する。
【００６１】
このようにガラスエポキシ基板４ｄに逆Ｆ形状アンテナパターン１及び逆Ｌ形状アンテナパターン５が形成されて成るパターンアンテナが、その表面上に設置される回路基板１０について、図１５を参照して、以下に説明する。この回路基板１０は、第２の実施形態のガラスエポキシ基板４（図３）のように、その表面に、スルーホール６ｂが設けられた２つの接地用導体部３ｂと、この２つの接地用導体部３ｂに挟まれるように配置された給電伝送路２ａとが形成される。
【００６２】
又、ガラスエポキシ基板４ｄの裏面に設けられた各ランドパターン１１ａと物理的及び電気的に接続するためのランドパターン１１ｂが回路基板１０の隅、接地用導体部３ｂ上、給電伝送路２ａ上のそれぞれに形成される。よって、ガラスエポキシ基板４ｄ上、接地用導体部３ａ上、及び接地用導体部３ａに挟まれた位置に形成されたランドパターン１１ａが、回路基板１０上、接地用導体部３ｂ上、及び給電伝送路２ａ上に形成されたランドパターン１１ｂと重なるように、回路基板１０にパターンアンテナが設置される。
【００６３】
このとき、ガラスエポキシ基板４ｄの裏面の接地用導体部３ａと回路基板１０表面の接地用導体部３ｂ、及び、接地用導体部３ａに設けられたスルーホール６ａと接地用導体部３ｂに設けられたスルーホール６ｂが重なり合う。又、逆Ｆ形状アンテナパターン１において、給電導体パターン１ｂが、ランドパターン１１ａ，１１ｂを介して、給電伝送路２ａと電気的に接続されるとともに、接地導体パターン１ｃが、接地導体部３ａ及びランドパターン１１ａ，１１ｂを介して、接地導体部３ｂと電気的に接続される。更に、逆Ｌ形状アンテナパターン５において、接地導体パターン５ｂが、接地導体部３ａ、スルーホール６ａ及びランドパターン１１ａ，１１ｂを介して、接地導体部３ｂと電気的に接続される。
【００６４】
このようにして、回路基板１０上に、パターンアンテナが設置されるとき、回路基板１０、ガラスエポキシ基板４ｄ、逆Ｆ形状アンテナパターン１、逆Ｌ形状アンテナパターン５の関係は、図１６のような断面で表される。即ち、回路基板１０の表面とガラスエポキシ基板４ｄの裏面の間に逆Ｆ形状アンテナパターン１が形成され、ガラスエポキシ基板４ｄの表面に逆Ｌ形状アンテナパターン５が形成される。
【００６５】
尚、本実施形態では、第２の実施形態と同様の構成のパターンアンテナを回路基板上に搭載するような構成としたが、第１、第３又は第４の実施形態と同様の構成のパターンアンテナを回路基板上に搭載するような構成としても構わない。
【００６６】
尚、第１〜第５の実施形態において、逆Ｆ形状アンテナパターン及び逆Ｌ形状アンテナパターンを、その長手部パターンが直線状のものを例示して説明したが、このような構成に限定されるものではなく、例えば、図１７（ａ）のように、長手部パターンの開放端側が接地用導体部の方に垂直に折れた鈎状パターンを備えるような構成のものでも構わない。又、図１７（ｂ）のように、長手部パターンの開放端側をメアンダ状にしたメアンダ状パターンを備えるような構成のものでも構わない。このような構成にすることによって、各アンテナパターンを設置する領域面積を狭くすることができ、アンテナの小型化を図ることができる。尚、図１７（ａ）及び図１７（ｂ）には、給電導電パターンと接地導電パターンとを備えた励振素子としたが、給電導電パターンのみを備えた励振素子、又は、接地導電パターンのみを備えた無給電素子に適用しても構わない。
【００６７】
又、図１８（ａ）のように、長手部パターンの開放端と接地導体部との間にチップコンデンサＣ１を設けるような構成としても構わないし、又、図１８（ｂ）のように、長手部パターンを２つに分離し、その間にチップコンデンサＣ２を設けるような構成としても構わない。このように、容量値となるチップコンデンサＣ１，Ｃ２が設けられるため、各アンテナパターンの経路長を短くすることができる。よって、各アンテナパターンを設置する領域面積を狭くすることができ、アンテナの小型化を図ることができる。尚、図１８（ａ）及び図１８（ｂ）には、給電導電パターンと接地導電パターンとを備えた励振素子としたが、給電導電パターンのみを備えた励振素子、又は、接地導電パターンのみを備えた無給電素子に適用しても構わない。
【００６８】
又、パターンアンテナを形成するための基板を、比較的誘電率の低いガラスエポキシ基板としたが、例えば、３ＧＨｚ以上の高周波信号を送受信するアンテナにおいては、更に誘電率が低く誘電損失の少ないテフロングラス基板を用いることも可能である。
【００６９】
尚、逆Ｆ形状アンテナパターンや逆Ｌ形状アンテナパターンなどの各アンテナパターンは、通常の回路基板における回路パターン形成と同様に、エッチングによるパターニングや印刷形成などを用いて、パターン形成できるものである。
【００７０】
＜本発明のアンテナを備えた無線通信装置の一例＞
第１〜第５の実施形態のような構成のアンテナが設けられた無線通信装置について、以下に説明する。図１９は、本実施例の無線通信装置の内部構成を示すブロック図である。
【００７１】
図１９に示す無線通信装置は、外部より音声や映像やデータが入力される入力部２０と、入力部２０に入力されたデータを符号化する符号化回路２１と、符号化回路２１で符号化されたデータを変調する変調回路２２と、変調回路２２で変調された信号を増幅して安定した送信信号とする送信回路２３と、信号の送受信を行うアンテナ２４と、アンテナ２４で受信された受信信号を増幅するとともに所定の周波数域の信号を通過させる受信回路２５と、受信回路２５で増幅された受信信号の検波を行って復調する復調回路２６と、復調回路２６より与えられる信号を復号化する復号化回路２７と、復号化回路２７で復号化された音声や映像やデータなどを出力する出力部２８とを有する。
【００７２】
このような無線通信装置によると、まず、マイクやカメラやキーなどのような入力部２０によって入力される音声や映像やデータが、符号化回路２１で符号化される。次に、この符号化されたデータが、変調回路２２において、所定の周波数の搬送波で変調されると、この変調された信号が送信回路２３で増幅される。そして、第１〜第５の実施形態で説明したパターンアンテナで構成されたアンテナ２４より、送信信号として放射される。
【００７３】
又、アンテナ２４より受信信号が入射されると、まず、受信回路２５で増幅されるとともに、この受信回路２５に設けられるフィルタ回路などによって、所定の周波数域の信号が通過されて、復調回路２６に送出される。次に、復調回路２６では、受信回路２５より与えられる信号を検波することによって復調を行い、このように復調された信号が復号化回路２７で復号化される。そして、復号化回路２７で復号化されることによって得た音声や映像やデータが、スピーカやディスプレイなどの出力部２８に出力される。
【００７４】
この無線通信装置において、第１〜第４の実施形態のようなパターンアンテナがアンテナ２４として使用されるとき、このアンテナ２４が形成される基板上には、符号化回路２１、変調回路２２、送信回路２３、受信回路２５、復調回路２６、復号化回路２７が、回路パターンとして形成される。又、第５の実施形態のようなパターンアンテナがアンテナ２４として使用されるとき、符号化回路２１、変調回路２２、送信回路２３、受信回路２５、復調回路２６、復号化回路２７が、回路パターンとして形成される回路基板上に、アンテナ２４が形成された基板が、それぞれの基板に備えられたランドパターンが接続されることで、設置される。
【００７５】
尚、本例では、第１〜第５の実施形態で説明したパターンアンテナを、送受信を行うための送受信用のアンテナとした無線通信装置を一例に挙げたが、もちろん、受信のみを行うための受信用のアンテナとして使用した無線受信装置としても構わないし、又、送信のみを行うための送信用のアンテナとして使用した無線送信装置としても構わない。
【００７６】
【発明の効果】
本発明のパターンアンテナによると、アンテナパターンでアンテナが形成されるため、従来のように、立体的な空間を必要することがなく、又、屈曲させることにより、このようなアンテナパターンを形成する領域を狭めることができる。よって、アンテナ自身の小型化を図ることができるとともに、本発明のパターンアンテナを搭載する無線通信装置の小型化に貢献することができる。又、給電パターン及び接地パターンをテーパー形状とすることによって、広帯域の周波数帯域でインピーダンス整合をとることができるため、広帯域の周波数の信号送受信するアンテナを形成することができる。
【図面の簡単な説明】
【図１】第１の実施形態のパターンアンテナにおける逆Ｆ形状アンテナパターンの構成を示す平面図。
【図２】第１の実施形態のパターンアンテナの電圧定在波比の周波数特性を示す図。
【図３】パターンアンテナにおけるアンテナパターンの図１以外の構成を示す平面図。
【図４】第２の実施形態のパターンアンテナにおける逆Ｆ形状アンテナパターンの構成を示す平面図。
【図５】第２の実施形態のパターンアンテナにおける逆Ｌ形状アンテナパターンの構成を示す平面図。
【図６】第２の実施形態のパターンアンテナの構成を示す断面図。
【図７】第２の実施形態のパターンアンテナの電圧定在波比の周波数特性を示す図。
【図８】第３の実施形態のパターンアンテナにおける逆Ｌ形状アンテナパターンの構成を示す平面図。
【図９】第３の実施形態のパターンアンテナにおける逆Ｌ形状アンテナパターンの構成を示す平面図。
【図１０】第３の実施形態のパターンアンテナの構成を示す断面図。
【図１１】第３の実施形態のパターンアンテナの電圧定在波比の周波数特性を示す図。
【図１２】第４の実施形態のパターンアンテナの構成を示す断面図。
【図１３】第５の実施形態のパターンアンテナにおける逆Ｌ形状アンテナパターンの構成を示す平面図。
【図１４】第５の実施形態のパターンアンテナにおける逆Ｆ形状アンテナパターンの構成を示す平面図。
【図１５】第５の実施形態のパターンアンテナが設置される回路基板の表面の構成を示す平面図。
【図１６】第５の実施形態のパターンアンテナの構成を示す断面図。
【図１７】鈎状パターン又はメアンダ状パターンを有するアンテナパターンの構成を示す平面図。
【図１８】チップコンデンサが設けられたアンテナパターンの構成を示す平面図。
【図１９】本発明の無線通信装置の内部構成の一例を示すブロック図。
【図２０】従来のマイクロストリップアンテナの構成を示す外観斜視図。
【図２１】従来の逆Ｆ形状プリントパターンアンテナの構成を示す平面図。
【図２２】従来の逆Ｆ形状プリントパターンアンテナの電圧定在波比の周波数特性を示す図。
【符号の説明】
１    逆Ｆ形状アンテナパターン
２    給電伝送路
３    接地用導体部
４    ガラスエポキシ基板
５    逆Ｌ形状アンテナパターン
６    スルーホール
７    逆Ｌ形状アンテナパターン
８    逆Ｌ形状アンテナパターン
９    多層ガラスエポキシ基板
１０    回路基板
１１ａ，１１ｂ    ランドパターン
【図１】
0003630622.tif 000002
【図２】
0003630622.tif 000003
【図３】
0003630622.tif 000004
【図４】
0003630622.tif 000005
【図５】
0003630622.tif 000006
【図６】
0003630622.tif 000007
【図７】
0003630622.tif 000008
【図８】
0003630622.tif 000009
【図９】
0003630622.tif 000010
【図１０】
0003630622.tif 000011
【図１１】
0003630622.tif 000012
【図１２】
0003630622.tif 000013
【図１３】
0003630622.tif 000014
【図１４】
0003630622.tif 000015
【図１５】
0003630622.tif 000016
【図１６】
0003630622.tif 000017
【図１７】
0003630622.tif 000018
【図１８】
0003630622.tif 000019
【図１９】
0003630622.tif 000020
【図２０】
0003630622.tif 000021
【図２１】
0003630622.tif 000022
【図２２】
0003630622.tif 000023